(57)【要約】【課題】シングルページファイルフォーマットに出力形式を変えられる複数の画像をそのサイズを変えずに格納する画像形成装置を提供する。【解決手段】複数の画像を格納するページの幅と複数の画像を出力させる場合の出力順序を設定させる設定制御部１１１、ページの幅の範囲で受付けた複数の画像をページに格納させる格納制御部１１３、ページに格納された複数の画像の配置に基づいて各画像がページ上で占める領域を生成する占有領域生成部１１４、格納された複数の画像をそれらの配置とサイズを維持しつつ結合する画像結合部１１５、結合された複数の画像を１つの画像として出力順序及び占有領域とともにファイルに保存する画像保存部１１６、保存された画像の出力指示を受付けた場合であってページの幅が設定に基づいて変更されていたときに、出力順序及び占有領域に基づいて、保存された画像の出力形式を変化させて出力させる出力制御部１１７を備える。【選択図】図２
2014011788.tif 000002
【特許請求の範囲】
【請求項１】
複数の画像を格納するページの幅と前記複数の画像を出力させる場合の出力順序とを設定させる設定制御手段と、
前記ページの幅の範囲内で、受け付けた複数の画像を前記ページに格納させる格納制御手段と、
前記ページに格納された複数の画像のそれぞれの配置に基づいて、それぞれの画像がページ上で占める占有領域を生成する生成手段と、
前記ページに格納された複数の画像を、それぞれの画像の配置とサイズを維持した状態で結合する結合手段と、
前記結合手段によって結合された複数の画像を１つの画像として、前記出力順序及び前記占有領域とともに画像ファイルに保存する保存手段と、
前記画像ファイルに保存された画像の出力指示を受け付けた場合であって、前記ページの幅が設定に基づいて変更されていたときに、前記出力順序及び前記占有領域に基づいて、前記画像ファイルに保存された画像の出力形式を変化させて出力機構に出力させる出力制御手段と、
を備える画像形成装置。
【請求項２】
前記保存手段は、前記出力順序及び前記占有領域をメタデータ若しくは二次元コードのいずれかにより保存することを特徴とする請求項１に記載の画像形成装置。
【請求項３】
前記設定制御手段は、前記複数の画像を出力させる際に、１ページとして出力させるか、又は複数のページとして出力させるかのいずれかの処理形態を設定させ、
前記保存手段は、設定された処理形態を前記画像ファイルに保存することを特徴とする請求項１又は２に記載の画像形成装置。
【請求項４】
前記設定制御手段は、前記画像ファイルに保存された１つの画像の出力指示を受け付けた場合に、１ページとして出力させるか、又は複数のページとして出力させるかのいずれかの処理形態を設定させ、
前記出力制御手段は、設定された処理形態に基づいて、前記画像ファイルに保存された１つの画像を出力機構に出力させることを特徴とする請求項１から３のいずれか１項に記載の画像形成装置。
【請求項５】
前記保存手段は、前記複数の画像を前記ページに格納する際の格納順序を前記画像ファイルの中に保存することを特徴とする請求項１から４のいずれか１項に記載の画像形成装置。
【請求項６】
コンピュータを、
複数の画像を格納するページの幅と前記複数の画像を出力させる場合の出力順序とを設定させる設定制御手段、
前記ページの幅の範囲内で、受け付けた複数の画像を前記ページに格納させる格納制御手段、
前記ページに格納された複数の画像のそれぞれの配置に基づいて、それぞれの画像がページ上で占める占有領域を生成する生成手段、
前記ページに格納された複数の画像を、それぞれの画像の配置とサイズを維持した状態で結合する結合手段、
前記結合手段によって結合された複数の画像を１つの画像として、前記出力順序及び前記占有領域とともに画像ファイルに保存する保存手段、
前記画像ファイルに保存された画像の出力指示を受け付けた場合であって、前記ページの幅が設定に基づいて変更されていたときに、前記出力順序及び前記占有領域に基づいて、前記画像ファイルに保存された画像の出力形式を変化させて出力機構に出力させる出力制御手段
として機能させるためのプログラム。
【発明の詳細な説明】
【技術分野】
【０００１】
本発明は、画像形成装置、及びプログラムに関する。
【背景技術】
【０００２】
ひとつのファイルの中に複数の画像を格納したマルチページファイルを構成するファイルフォーマット（以下、マルチページファイルフォーマットという。）が知られている。一方、ひとつのファイルの中に１つの画像のみを格納したシングルページファイルを構成するファイルフォーマット（以下、シングルページファイルフォーマットという。）も知られている。マルチページファイルフォーマットとしては、例えばＴＩＦＦ（Tagged Image File Format）がある。シングルページファイルフォーマットとしては、例えばＪＦＩＦ（JPEG File Interchange Format）がある。
【０００３】
ここで、印刷機能や複写機能など、複数の画像形成機能を有する画像形成装置では、上述したマルチページファイルフォーマットに対応して複数の画像を記録紙に出力するものがある。一方で、上述したマルチページファイルフォーマットに対応しておらず、複数の画像のうち先頭に格納された画像のみを記録紙に出力する画像形成装置もある。すなわち、このような画像形成装置では、先頭以外に格納された画像は出力されないことになる。
【０００４】
上述したマルチページファイルフォーマットに対応していない画像形成装置において、先頭以外に格納された画像を出力する技術も知られている。例えば、特許文献１は、先頭に格納された画像と先頭以外に格納された画像を入れ替えることにより、先頭以外に格納された画像を出力することを開示する。また、特許文献２に開示されるように、複数の画像がそのサイズを縮小して１ページに集約されて印刷された記録紙に二次元コードも併せて印刷しておき、その二次元コードに基づいて集約前の画像を復元する技術も知られている。
【先行技術文献】
【特許文献】
【０００５】
【特許文献１】特開２０１１−１５００７号公報
【特許文献２】特開２０１０−１８７０５６号公報
【発明の概要】
【発明が解決しようとする課題】
【０００６】
本発明は、シングルページファイルフォーマットに、出力形式を簡易に変えられる複数の画像を画像のサイズを変えずに格納する画像形成装置及びプログラムを提供することを目的とする。
【課題を解決するための手段】
【０００７】
請求項１に記載の発明は、複数の画像を格納するページの幅と前記複数の画像を出力させる場合の出力順序とを設定させる設定制御手段と、前記ページの幅の範囲内で、受け付けた複数の画像を前記ページに格納させる格納制御手段と、前記ページに格納された複数の画像のそれぞれの配置に基づいて、それぞれの画像がページ上で占める占有領域を生成する生成手段と、前記ページに格納された複数の画像を、それぞれの画像の配置とサイズを維持した状態で結合する結合手段と、前記結合手段によって結合された複数の画像を１つの画像として、前記出力順序及び前記占有領域とともに画像ファイルに保存する保存手段と、前記画像ファイルに保存された画像の出力指示を受け付けた場合であって、前記ページの幅が設定に基づいて変更されていたときに、前記出力順序及び前記占有領域に基づいて、前記画像ファイルに保存された画像の出力形式を変化させて出力機構に出力させる出力制御手段と、を備える画像形成装置である。
【０００８】
請求項２に記載の発明は、請求項１に記載の発明において、前記保存手段は、前記出力順序及び前記占有領域をメタデータ若しくは二次元コードのいずれかにより保存することを特徴としている。
【０００９】
請求項３に記載の発明は、請求項１又は２に記載の発明において、前記設定制御手段は、前記複数の画像を出力させる際に、１ページとして出力させるか、又は複数のページとして出力させるかのいずれかの処理形態を設定させ、前記保存手段は、設定された処理形態を前記画像ファイルに保存することを特徴としている。
【００１０】
請求項４に記載の発明は、請求項１から３のいずれか１項に記載の発明において、前記設定制御手段は、前記画像ファイルに保存された１つの画像の出力指示を受け付けた場合に、１ページとして出力させるか、又は複数のページとして出力させるかのいずれかの処理形態を設定させ、前記出力制御手段は、設定された処理形態に基づいて、前記画像ファイルに保存された１つの画像を出力機構に出力させることを特徴としている。
【００１１】
請求項５に記載の発明は、請求項１から４のいずれか１項に記載の発明において、前記保存手段は、前記複数の画像を前記ページに格納する際の格納順序を前記画像ファイルの中に保存することを特徴としている。
【００１２】
請求項６に記載の発明は、コンピュータを、複数の画像を格納するページの幅と前記複数の画像を出力させる場合の出力順序とを設定させる設定制御手段、前記ページの幅の範囲内で、受け付けた複数の画像を前記ページに格納させる格納制御手段、前記ページに格納された複数の画像のそれぞれの配置に基づいて、それぞれの画像がページ上で占める占有領域を生成する生成手段、前記ページに格納された複数の画像を、それぞれの画像の配置とサイズを維持した状態で結合する結合手段、前記結合手段によって結合された複数の画像を１つの画像として、前記出力順序及び前記占有領域とともに画像ファイルに保存する保存手段、前記画像ファイルに保存された画像の出力指示を受け付けた場合であって、前記ページの幅が設定に基づいて変更されていたときに、前記出力順序及び前記占有領域に基づいて、前記画像ファイルに保存された画像の出力形式を変化させて出力機構に出力させる出力制御手段として機能させるためのプログラムである。
【発明の効果】
【００１３】
請求項１に記載の発明によれば、シングルページファイルフォーマットに、出力形式を簡易に変えられる複数の画像が画像のサイズを変えずに格納される。
【００１４】
請求項２に記載の発明によれば、選択に応じて、利用者に認知不能な画像を視界から遮ることもできるし、出力順序及び占有領域を記録紙に残しておくこともできる。
【００１５】
請求項３に記載の発明によれば、画像ファイルを生成する際に、出力処理の際の出力処理形態を選ぶことができる。
【００１６】
請求項４に記載の発明によれば、画像ファイルを出力する際に、出力処理の際の形態を選ぶことができる。
【００１７】
請求項５に記載の発明によれば、画像ファイルを出力する際に、格納順序を利用した処理を行うことができる。
【００１８】
請求項６に記載の発明によれば、シングルページファイルフォーマットに、出力形式を簡易に変えられる複数の画像が画像のサイズを変えずに格納される。
【図面の簡単な説明】
【００１９】
【図１】画像形成装置の要部構成の一例である。
【図２】コントローラの機能ブロック図の一例である。
【図３】画像形成装置のハードウェア構成を例示するブロック図である。
【図４】コントローラの画像ファイル生成動作の一例を示すフローチャートである。
【図５】操作パネルに表示される操作画面の一例である。
【図６】操作パネルに表示される操作画面の一例と選択画面の一例である。
【図７】付加情報がメタデータとして保存された画像ファイルの一例である。
【図８】付加情報が二次元コードとして保存された画像ファイルの一例である。
【図９】コントローラの出力動作の一例を示すフローチャートである。
【図１０】出力結果の一例である。
【図１１】出力結果の他の一例である。
【図１２】コントローラの動作の他の一例を示すフローチャートと出力形態を選択する選択画面の一例である。
【図１３】出力処理形態が保存された画像ファイルＦの一例である。
【図１４】コントローラの動作の他の一例を示すフローチャートと出力形態を選択する選択画面の一例である。
【図１５】出力結果の他の一例である。
【発明を実施するための形態】
【００２０】
以下、本発明を実施するための形態について図面を参照して説明する。
【００２１】
（第１実施形態）
図１は、画像形成装置１００の要部構成の一例である。画像形成装置１００は、複写機能、スキャナ機能、ファクリミリ機能、印刷機能といった画像形成機能の少なくとも１つを備えている。
画像形成装置１００は、図１に示すように、コントローラ１１０、出力機構１２０、操作部１３０及びスキャナ部１３７を含んでいる。尚、図１において、タンデム型の画像形成装置１００を示しているが、ロータリー型の画像形成装置１００であってもよい。
【００２２】
出力機構１２０は、露光装置（ＬＰＨ（LED Printing Head））１２１、クリーニングブレード１２２、帯電装置１２３、二次転写装置１２４、感光体ドラム１２５、一次転写装置１２６、現像装置１２７、定着装置１２８及びディスペンサ１２９を含んでいる。出力機構１２０は、例えばプリンタユニット、画像形成ユニット、エンジンと呼ばれることもある。出力機構１２０に含まれる各装置は、コントローラ１１０によってその動作が制御される。
【００２３】
尚、図１において、ディスペンサ１２９は、マゼンタ、シアン、ブラックについても構成されるが、イエロー以外の色については省略して示している。また、ディスペンサ１２９と接続されるトナーカートリッジ受け部１３６及びトナーカートリッジ１３５についても、イエロー以外の色については省略して示している。以下の説明では、イエローを一例として説明する。
【００２４】
ＬＰＨ１２１は、ＬＥＤアレイ、駆動ＩＣ、ロッドレンズアレイを含んでいる。ＬＰＨ１２１は、コントローラ１１０による露光量の制御に基づいて、感光体ドラム１２５の表面に対して多数のＬＥＤを発光させることで露光を行う。
【００２５】
帯電装置１２３は、例えば導電性弾性ローラで構成される。帯電装置１２３は、コントローラ１１０の電位制御に基づいて、感光体ドラム１２５の表面を帯電させる。具体的には、帯電装置１２３を感光体ドラム１２５に接触させて電圧を印加すると、感光体ドラム１２５は極性がプラスとなって帯電する。
【００２６】
感光体ドラム１２５は、表面に光半導体（例えばａ−Ｓｉ（アモルファスシリコン））の層が形成された円柱型のアルミニウムにより構成される。感光体ドラム２５は、コントローラ１１０の制御に基づいて、上面（又は底面）の中心を軸に回転（図１では左回転）する。感光体ドラム１２５は、上述したように、帯電装置１２３によって帯電し、ＬＰＨ１２１が発光すると、走査された部分の帯電が消失する。そして、後述する現像装置１２７から供給されるトナーが感光体ドラム１２５に付着する。この結果、感光体ドラム１２５は、画像情報に基づいて生成されたトナー像を保持する。
【００２７】
一次転写装置１２６は、感光体ドラム１２５に付着したトナー像を中間転写体１４０に一次転写させる。一次転写装置１２６は、コントローラ１１０の転写電位に関する制御に基づいて、中間転写体１４０にプラスの帯電を行う。この結果、感光体ドラム１２５に付着したマイナス電位のトナーは、中間転写体１４０に転写される。一次転写装置１２６は、感光体ドラム１２５と同じ方向に移動するように回転（図１では右回転）するために、中間転写体１４０が矢印の方向に押し出されるように移動する。尚、一次転写された後に感光体ドラム１２５にトナーが残像している場合、そのトナーは感光体ドラム１２５と接触するクリーニングブレード１２２によって掻き取られる。
【００２８】
現像装置１２７は、磁石（マグネットロール）を内蔵した筒状のアルミニウム（以下、現像ロールという。）を含んでいる。現像装置１２７には、トナーカートリッジ１３５からディスペンサ１２９を介して供給されるトナーが補給される。トナーカートリッジ１３５は、トナーカートリッジ受け部１３６に着脱可能に装着されている。補給されたトナーは、金属性のキャリアと攪拌されてマイナスに帯電する。このトナーとキャリアのように現像に供される粉体を現像剤という。現像剤はマグネットロールの磁力により現像ロール上に磁気ブラシ状となり、感光体ドラム１２５と接触する。そして、コントローラ１１０の現像装置１２７に対する電位制御に基づいて、現像ロール上のトナーを感光体ドラム１２５に現像する。これにより、感光体ドラム１２５上には、トナー像が形成され、このトナー像が中間転写体１４０に一次転写される。
【００２９】
このように、中間転写体１４０には、イエローのトナー像のほか、マゼンタ、シアン、ブラックの各トナー像が一次転写される。これら各色のトナー像は、単独で又は重なりあって画像を構成する。トナー像が重なり合う場合には、中間転写体１４０が駆動し、例えば、イエローのトナー像が一次転写された部分に、マゼンタ、シアンが一次転写され、カラー画像が形成される。
【００３０】
中間転写体１４０は、トナー像の一次転写がなされた後も駆動を続け、一次転写された部分は、二次転写装置１２４に到達する。二次転写装置１２４は、中間転写体１４０に一次転写されたトナー像を記録紙Ｓに二次転写する。
【００３１】
二次転写装置１２４は、コントローラ１１０の転写電位に関する制御に基づいて、記録紙Ｓにプラスの帯電を行う。この結果、中間転写体１４０に付着していたマイナス電位のトナー像は、記録紙Ｓに吸着する。記録紙Ｓに吸着したトナー像は、定着装置１２８によって記録紙Ｓに定着する。トナー像が定着した記録紙Ｓは、画像形成装置１００の外部に排紙される。
【００３２】
操作部１３０は、物理的な操作ボタン１３１やタッチパネル方式の操作パネル１３２を備えている（図２も併せて参照）。操作部１３０は、コントローラ１１０からの表示制御により利用者が操作すべき操作内容を表示する。操作内容としては、例えば操作案内や利用者により選択される選択ボタンの画像がある。利用者は選択ボタンを操作して、画像形成装置１００に設定すべき設定内容を入力する。入力された設定内容は画像形成装置１００に登録される。選択ボタンや操作ボタンが操作されると、コントローラ１１０に指示が与えられる。
【００３３】
スキャナ部１３７は、載置された記録紙を連続的に給紙する給紙装置（例えばオートフィーダ）や記録紙に描画された画像を撮像する撮像素子（例えばＣＣＤ（Charged Coupled Device））を備えている。スキャナ部１３７は、複数の画像を光学的に読み取り、読取結果に応じた画像情報を生成する。スキャナ部１３７は、生成した画像情報を後述する画像受付部１１２（図２参照）に送信したり、画像形成装置１００の内部に設置された記憶装置（例えば、後述するＨＤＤ（Hard Disc Drive）１５０）や外部に設置された記憶装置（不図示）に保存したりする。
【００３４】
次に、上述したコントローラ１１０の構成について図２を参照して説明する。
【００３５】
図２は、コントローラ１１０の機能ブロック図の一例である。
コントローラ１１０は、図２に示すように、設定制御部１１１、画像受付部１１２、格納制御部１１３、占有領域生成部１１４、画像結合部１１５、画像保存部１１６、及び出力制御部１１７を含んでいる。
【００３６】
設定制御部１１１は、複数の画像を格納するページの幅（以下、単にページ幅という。）とその複数の画像を出力させる場合の出力順序とを操作部１３０を介して利用者に設定させる。例えば、設定制御部１１１は、操作パネル１３２の表示を制御して、ページ幅を設定させる画面や出力順序を設定させる画面を操作パネル１３２に表示させる。したがって、利用者は操作パネルを操作して複数の画像を格納するページのページ幅や出力順序を設定する設定指示を設定制御部１１１に送信する。尚、ページ幅は、画像が記録される記録紙Ｓの短手方向を一例として説明するが、例えば短手方向に代えて長手方向をページ幅としてもよい。
【００３７】
また、設定制御部１１１は、複数の画像を出力させる際に、１ページとして出力させるか、又は複数のページとして出力させるかのいずれかの処理形態を設定させる。設定制御部１１１は、画像ファイルに保存された１つの画像の出力指示を受け付けた場合に、１ページとして出力させるか、又は複数のページとして出力させるかのいずれかの処理形態を設定させる。いずれの処理も設定させるための画面を操作パネル１３２に表示させ、利用者は操作パネル１３２を操作して設定指示を与える。
【００３８】
設定制御部１１１は、設定指示に応じたページ幅を格納制御部１１３に送信する。設定制御部１１１は、設定指示に応じた出力順序や出力させる際の処理形態を画像保存部１１６に送信する。設定制御部１１１は、出力指示を受けた際の処理形態を出力制御部１１７に送信する。
【００３９】
画像受付部１１２は、スキャナ部１３７からＨＤＤ１５０に保存された画像情報を受け付けたり、後述する情報端末２００（図３参照）から送信された画像情報を受け付けたりする。画像受付部１１２は、受け付けた画像に対し受付順に識別番号を付与する。識別番号に代えて数字、アルファベット、記号の少なくとも１つを含む識別情報を利用してもよい。画像受付部１１２は、受け付けた画像情報を格納制御部１１３に送信する。
【００４０】
格納制御部１１３は、設定制御部１１１から送信されたページ幅を受け付ける。格納制御部１１３は、画像受付部１１２から送信された複数の画像情報を受け付ける。格納制御部１１３は、受け付けたページ幅の範囲内で、受け付けた複数の画像情報をページに格納させる。例えば、格納制御部１１３は、操作パネル１３２に画像格納画面を表示させる。詳細は後述するが、画像格納画面には受け付けたページ幅を有するページと受け付けた複数の画像情報とが画像として表示される。利用者は操作パネル１３２を操作して、複数の画像をページに格納する。格納が完了すると、格納制御部１１３は操作部１３０から格納指示を受け付け、複数の画像が格納されたページを占有領域生成部１１４及び画像結合部１１５に送信する。また、格納制御部１１３は、格納順序を画像保存部１１６に送信する。
【００４１】
占有領域生成部１１４は、格納制御部１１３から複数の画像が格納されたページを受け付ける。占有領域生成部１１４は、ページに格納された複数の画像のそれぞれの配置に基づいて、それぞれの画像がページ上で占める占有領域を占有領域情報として生成する。例えば、占有領域生成部１１４は、ページの四隅のいずれかを座標軸の原点とし、配置された画像の四隅の位置情報のうち対角線上にある２つの位置情報を定めることによって占有領域情報を生成する。占有領域生成部１１４は、生成した占有領域情報を画像保存部１１６に送信する。
【００４２】
画像結合部１１５は、格納制御部１１３から複数の画像が格納されたページを受け付ける。画像結合部１１５は、ページに格納された複数の画像を、それぞれの画像の配置とサイズを維持した状態で結合する。これにより、ページの上に配置された複数の画像はページの画像とともに１つの画像となる。画像のサイズは維持されるため、画像の画素を間引いて縮小することによって生じる画質の劣化も回避される。画像結合部１１５は、結合により生じた一画像を画像保存部１１６に送信する。
【００４３】
画像保存部１１６は、設定制御部１１１から送信された出力順序を受け付ける。画像保存部１１６は、占有領域生成部１１４から送信された占有領域情報を受け付ける。画像保存部１１６は、画像結合部１１５から送信された一画像を受け付ける。画像保存部１１６は、格納制御部１１３から送信された格納順序を受け付ける。画像保存部１１６は、画像結合部１１５から送信された一画像を出力順序、格納順序及び占有領域情報とともに画像ファイルの中に保存する。画像保存部１１６は、出力順序、格納順序及び占有領域情報をメタデータ若しくは二次元コードのいずれかにより保存する。画像保存部１１６は、設定された処理形態を画像ファイルに保存したり、複数の画像をページに格納する際の格納順序を画像ファイルの中に保存したりする。この結果、１つの画像しか格納できないファイルフォーマットに、１つの画像が出力順序、占有領域情報及び格納順序とともに保存される。画像保存部１１６は、この画像ファイルを出力制御部１１７に送信したり、後述するＨＤＤ１５０に保存したりする。
【００４４】
出力制御部１１７は、画像保存部１１６やＨＤＤ１５０から画像ファイルを受け付ける。出力制御部１１７は、画像ファイルに保存された１つの画像の出力指示を操作部１３０（例えば操作ボタン１３１のスタートボタン）から受け付けた場合であって、ページ幅が設定に基づいて変更されていたときに、画像ファイルに保存された出力順序及び占有領域に基づいて、画像ファイルに保存された１つの画像の出力形式を変化させて出力機構１２０に出力させる。出力形式の変化には、複数列に配置された複数の画像を一又は異なる複数列に並べ替えて出力したり、一列に配置された複数の画像を複数列に並び替えて出力したり、縦一例に配置された複数の画像を横一列に並び替えて出力したりする変化がある。例えば２列に配置された複数の画像を１列に並べ替えて出力する変化がある。出力制御部１１７は、１ページとして出力させるか、又は複数のページとして出力させるかのいずれかの処理形態が設定されていた場合には、設定された処理形態に基づいて、画像ファイルに保存された１つの画像を出力機構１２０に出力させる。
【００４５】
次に、画像形成装置１００のハードウェア構成について図３を参照して説明する。
【００４６】
図３は、画像形成装置１００のハードウェア構成を例示するブロック図である。
画像形成装置１００は、図３に示すように、コントローラ１１０、スキャナ部１３７、入出力Ｉ／Ｆ（Interface）１４０、ＨＤＤ１５０、及びネットワークＩ／Ｆ１６０を備えている。コントローラ１１０、スキャナ部１３７、入出力Ｉ／Ｆ１４０、ＨＤＤ１５０、及びネットワークＩ／Ｆ１６０は、互いにバス１９０によって接続されている。
【００４７】
コントローラ１１０は、ＣＰＵ（Central Processing Unit）１０ａ、ＲＡＭ（Random Access Memory）１０ｂ、ＲＯＭ（Read Only Memory）１０ｃ、Ｉ／Ｆ１０ｄを含んでいる。ＣＰＵ１０ａ、ＲＡＭ１０ｂ、ＲＯＭ１０ｃ、及びＩ／Ｆ１０ｄは、バス１０ｅによって接続されている。ＣＰＵ１０ａ及びＲＡＭ１０ｂにより本発明のコンピュータが実現される。
【００４８】
入出力Ｉ／Ｆ１４０は、例えばＵＳＢポートを備えている。入出力Ｉ／Ｆ１４０には、搬送可能な記憶媒体、例えばフラッシュメモリなどの不揮発性メモリ１７０が接続される。したがって、不揮発性メモリ１７０にプログラムを記憶しておき、そのプログラムを入出力Ｉ／Ｆ１４０を介してＨＤＤ１５０に保存してもよい。
【００４９】
ＨＤＤ１５０は、プログラムや各種の情報を記憶する。各種の情報としては、画像形成装置１００に設定された設定内容に関する情報やスキャナ部１３７が読み取った画像情報、情報端末２００で生成された画像情報がある。
【００５０】
ネットワークＩ／Ｆ１６０は、例えばＬＡＮ（Local Area Network）ポートを備えている。ネットワークＩ／Ｆ１６０には、例えばＬＡＮケーブルの一端が接続される。ＬＡＮケーブルの他端には、情報端末２００が接続される。情報端末２００は、表示装置２１０（例えば液晶ディスプレイ）、入力装置２２０（例えばキーボードやマウス）並びに表示装置２１０及び入力装置２２０の動作を制御する制御装置２３０（例えばＣＰＵ、ＲＡＭ、ＲＯＭ、ＨＤＤ）を備えている。情報端末としては例えばＰＣ（Personal Computer）がある。利用者は、情報端末２００を操作して複数の画像を生成してＨＤＤ１５０に送信したり、上述したページ幅などを設定したり、ページ幅を設定したページに複数の画像を格納してＨＤＤ１５０に送信したりしてもよい。
【００５１】
尚、ネットワークＩ／Ｆ１６０と情報端末２００との間に、例えばスイッチやルーターなどの通信機器とこれらを各種ケーブルで接続したネットワーク１８０が介在してもよい。また、ＬＡＮは有線ＬＡＮであっても無線ＬＡＮであってもよい。ＬＡＮに代えて、又はＬＡＮとともにインターネットを利用してもよい。
【００５２】
このように、上述したコンピュータでは、ＲＡＭ１０ｂがＲＯＭ１０ｃやＨＤＤ１５０に記憶されたプログラムを読み込み、読み込まれたプログラムをＣＰＵ１０ａが実行することにより、コントローラ１１０の各機能が実現される。プログラムは、後述するフローチャートに応じたものとすればよい。
【００５３】
次に、コントローラ１１０における画像ファイル生成までの動作について図４から図６までを参照して説明する。
【００５４】
図４は、コントローラ１１０の画像ファイル生成動作の一例を示すフローチャートである。図５は、操作パネル１３２に表示される操作画面の一例である。図６は、操作パネル１３２に表示される操作画面の一例と選択画面の一例である。
【００５５】
まず、設定制御部１１１は、マルチページの画像ファイルを生成するか否かを判定する（ステップＳ１０１）。ここで、第１実施形態並びに後述の第２及び第３実施形態におけるマルチページの画像ファイルとは、１つのファイルの中に１つの画像しか格納できないシングルページファイルフォーマットを利用した画像ファイルをいう。例えば、複数の画像が結合されて一画像としてシングルページファイルフォーマットに格納されていれば、マルチページの画像ファイルといい、複数の画像が結合されておらず一画像を構成していない場合には、マルチページの画像ファイルとはいわない。設定制御部１１１は、マルチページの画像ファイルを生成するか否かを選択させる選択画面（不図示）を操作パネル１３２に表示させ、利用者からの選択指示に基づいて、マルチページの画像ファイルを生成するか否かを判定する。
【００５６】
設定制御部１１１は、操作パネル１３２からマルチページの画像ファイルを生成する旨の指示を受け付けた場合（ステップＳ１０１：ＹＥＳ）、ページの設定画面を操作パネル１３２に表示させる（ステップＳ１０２）。ページの設定画面は、図５（ａ）に示すように、特定のサイズを指定するか、任意のサイズを指定するのかいずれか１つを選択する選択ボタンＢｔ、表示された複数のページのページ幅の中からいずれか１つのページ幅を選択するための選択ボタンＢｔ、選択された内容を確定し設定制御部１１１にその旨の指示を与えるＯＫボタンＢｔ、選択された内容をキャンセルするためのキャンセルボタンＢｔを含んでいる。図５（ａ）においては、特定のサイズを指定する旨が選択され、そのサイズを「ＪＩＳ−Ａ０  幅」とする旨が選択されている。
尚、設定制御部１１１は、操作パネル１３２からマルチページの画像ファイルを生成しない旨の指示を受け付けた場合（ステップＳ１０１：ＮＯ）、本実施形態の処理を終了する。
【００５７】
設定制御部１１１は、次いで、ページ幅の設定が完了したか否かを判定する（ステップＳ１０３）。ページ幅の設定が完了したか否かは、上述したページ幅設定画面において、ＯＫボタンＢｔが押下されたか否かに基づいて行われる。ＯＫボタンＢｔが押下された場合には、設定制御部１１１は、ページ幅の設定が完了したと判定し（ステップＳ１０３：ＹＥＳ）、その旨を格納制御部１１３に送信する。
【００５８】
画像受付部１１２は、ステップＳ１０３の処理が完了すると、複数の画像情報をＨＤＤ１５０から受け付ける（ステップＳ１０４）。画像受付部１１２は、受け付けた複数の画像情報を格納制御部１１３に送信する。
【００５９】
格納制御部１１３は、複数の画像情報をページに格納させるための画像格納画面を操作パネル１３２に表示させる（ステップＳ１０５）。画像格納画面は、図５（ｂ）に示すように、ページ表示領域Ｒ１及び画像表示領域Ｒ２を含んでいる。ページ表示領域Ｒ１には、ページ画像ＩＭｐが表示される。ページ画像ＩＭｐは、ページ幅設定画面で設定されたページ幅を有するページの画像である。画像表示領域Ｒ２には、画像受付部１１２から受け付けた複数の画像情報がサムネイル画像として表示される。画像表示領域Ｒ２には、例えば画像「Ａ」を有する画像情報、画像「Ｂ」を有する画像情報、画像「Ｃ」を有する画像情報、画像「Ｄ」、「Ｅ」及び「Ｆ」を縦一列に有する画像情報、及び画像「Ｇ」及び「Ｈ」を横一列に有する画像情報がサムネイル画像として表示される。尚、図示しないが、これらの画像情報には、この順番にそれぞれ識別番号「１」〜「５」が付与されている。
【００６０】
格納制御部１１３は、次いで、格納と出力順序の設定が完了したか否かを判定する（ステップＳ１０６）。当該判定処理は、画像表示領域Ｒ２に表示された複数の画像がページ表示領域Ｒ１に表示されたページに格納されたか否か、及び格納後に出力順序が設定されたか否かに基づいて行われる。例えば、図６（ａ）に示すように、利用者はスクロールバーを上下に移動させて画像の配置箇所を表示させ、自身の指を使用して画像情報のいずれか１つ（例えば画像「Ｃ」を有する画像情報）を選択し、選択した状態でページ画像ＩＭｐ上の任意の位置に画像情報を配置する。すなわち、利用者は操作パネル１３２上でいわゆるドラッグアンドドロップ処理を行う。利用者自身の指に代えていわゆるタッチペンを利用してもよい。画像情報がページ画像ＩＭｐ上に配置されると、格納制御部１１３は、出力順序を設定するための画面を表示させる。利用者が必要に応じて当該画面を操作して出力順序を設定すると、配置された画像情報に出力順序が設定される。例えば、画像「Ｃ」を有する画像情報には出力順序「４」が設定される。この結果、複数の画像情報がページ画像ＩＭｐ上に格納され、それぞれの画像情報に対し出力順序が設定される。格納制御部１１３は、完了ボタンＢｔが押下されるまで格納制御処理を続け（ステップＳ１０６：ＮＯ）、完了ボタンＢｔが押下された場合に、格納と出力順序の設定が完了したと判定する（ステップＳ１０６：ＹＥＳ）。尚、利用者が出力順序の設定が不要であると考えた場合、「キャンセル」ボタンを押下すれば、出力順序は設定されない。
【００６１】
占有領域生成部１１４は、ステップＳ１０６の処理が終了すると、それぞれの画像情報がページ上で占める占有領域に関する情報を生成する（ステップＳ１０７）。占有領域生成部１１４は、例えばページ画像ＩＭｐの左上隅を座標軸の原点とし、幅方向をＸ軸に、スクロール方向をＹ軸とした場合、画像「Ｃ」を有する画像情報の左上隅の位置座標と右下の位置情報をそれぞれ座標（５，５）、（２５，２５）と定める。このように対角線上にある２つの位置情報を定めることにより、占有領域生成部１１４は、画像「Ｃ」を有する画像情報がページ画像ＩＭｐ上で占める占有領域を生成する。他の画像を有する画像情報についても同様である。
【００６２】
画像結合部１１５は、ステップＳ１０７の処理が完了すると、それぞれの画像情報の配置とサイズを維持した状態で複数の画像同士を結合する（ステップＳ１０８）。この結果、複数の画像を有する１つの画像情報が生成される。
【００６３】
画像保存部１１６は、ステップＳ１０８の処理が完了すると、結合された複数の画像を一画像として占有領域、格納順序及び出力順序とともに画像ファイルに保存する（ステップＳ１０９）。画像保存部１１６は、占有領域及び出力順序を付加情報として保存する際に、メタデータとして保存するか、又は二次元コードとして保存するか、どちらかの保存形態を選択させる付加情報保存方法画面を操作パネル１３２に表示させる。付加情報保存方法画面は、図６（ｂ）に示すように、メタデータ及び２次元コードの選択ボタン、ＯＫボタンＢｔ、キャンセルボタンＢｔを含んでいる。利用者はどちらかの保存形態（例えば、メタデータ）を選択し、ＯＫボタンＢｔを押下すると、選択された保存形態に基づいた画像ファイルが生成される。生成された画像ファイルはＨＤＤ１５０に保存される。
【００６４】
次に、上述したコントローラ１１０の動作によって生成される画像ファイルを図７及び図８を参照して説明する。
【００６５】
図７は、付加情報がメタデータとして保存された画像ファイルの一例である。図８は、付加情報が二次元コードとして保存された画像ファイルの一例である。
図７及び図８に示すように、画像ファイルＦは、ヘッダ部とデータ部とを備えている。
【００６６】
図７において、ヘッダ部はメタデータとヘッダデータを備えている。メタデータは、画像ごとに複数の領域に区切られている。各領域は、画像Ｎｏ、格納順序、出力順序及び占有領域を含んでいる。
【００６７】
画像Ｎｏは、画像に付与された識別番号、すなわち受付順序を示している。例えば画像Ｎｏ「３」は、３番目に受け付けた画像情報を意味し、画像「Ｃ」を有する画像情報を示している。格納順序は、画像情報がページ画像ＩＭｐ上に格納された順序を示している。例えば画像Ｎｏ「３」の画像情報（画像「Ｃ」）は、２番目にページ画像ＩＭｐ上に格納されたことを示している。出力順序は、その画像に対して設定された出力順序を示している。すなわち、画像Ｎｏ「３」の画像情報には出力順序「４」が設定されている。占有領域は、ページ画像ＩＭｐ上に配置される画像情報の２つの位置座標を示している。画像Ｎｏ「３」の画像情報は、位置座標（５，５）、（２５，２５）によって定められる領域に配置されることを示している。他の画像情報の画像Ｎｏ、格納順序、出力順序、及び占有領域についても同様である。
【００６８】
このように、付加情報の保存形態としてメタデータが選択されると、格納順序等が画像ファイルＦのメタデータとして保存される。尚、ヘッダデータには、例えば色情報やページ幅などの情報が格納される。また、画像ファイルＦのデータ部には、複数の画像が結合されて一画像となった画像情報が保存される。
【００６９】
一方、図８において、ヘッダ部はヘッダデータを備えているが、図７に示す画像ファイルＦと違ってメタデータを備えていない。ところが、図８に示すように、データ部は、複数の画像情報のほか、二次元コードＣを有している。この二次元コードＣには、上述した出力順序、占有領域、画像Ｎｏ、格納情報が埋め込まれている。二次元コードＣは、例えばページ画像ＩＭｐの原点とその原点に最も近い画像との間にある隙間に配置される。このため、図８においては、二次元コードＣはページ画像の左上に配置される。原点を左上以外の位置と定めた場合には、その原点に対応した位置に二次元コードＣは配置される。また、二次元コードＣは当該隙間に配置可能な大きさとなっている。このため、図８では理解のために誇張して示しているが、二次元コードＣの占有領域は、例えば位置情報（１，１）及び（４，４）によって定められる領域となる。このように、メタデータに付加情報を保存せず、二次元コードに付加情報を埋め込んで保存するようにしてもよい。メタデータの場合に比べて画像ファイルの大きさが小さくなる。
【００７０】
次に、画像ファイルの出力までのコントローラ１１０の動作を図９を参照して説明する。
【００７１】
図９は、コントローラ１１０の出力動作の一例を示すフローチャートである。
まず、出力制御部１１７は、画像ファイルの出力指示を受け付けたか否かを判定する（ステップＳ２０１）。当該判定処理は、例えば出力制御部１１７が操作パネル１３２にＨＤＤ１５０に保存された画像ファイルの画像を出力するか否かを選択させる選択画面（不図示）を表示させ、利用者からＨＤＤ１５０に保存された画像ファイルの画像を出力する旨の指示があったか否かによって行われる。出力制御部１１７は、利用者からＨＤＤ１５０に保存された画像ファイルを出力しない旨の指示があった場合（ステップＳ２０１：ＮＯ）、処理を終了する。
【００７２】
一方、出力制御部１１７は、画像ファイルの出力指示を受け付けたと判定した場合（ステップＳ２０１：ＹＥＳ）、ページ幅が設定に基づいて変更されたか否か判定する（ステップＳ２０２）。当該判定処理は、例えば出力制御部１１７が上述したページ幅設定画面（図５参照）を表示させ、画像ファイルに保存されたページ幅と異なるページ幅が設定されたか否かによって行われる。
【００７３】
出力制御部１１７は、ページ幅が設定に基づいて変更されたと判定した場合（ステップＳ２０２：ＹＥＳ）、出力順序及び占有領域を解析し（ステップＳ２０３）、画像の出力形式を変更する（ステップＳ２０４）。具体的には、画像ファイルにメタデータ若しくは二次元コードとして保存された出力順序及び占有領域並びに一画像を抽出し、占有領域に基づいて一画像を複数の画像に分割し、変更後のページ幅と抽出した出力順序とに基づいて、変更後のページに格納されるように複数の画像を並び替え、それぞれの画像に割り当てられた占有領域に基づいて、複数の画像をそれぞれ配置する。
【００７４】
出力制御部１１７は、ステップＳ２０４の処理が終了すると、変更後の画像を出力機構１２０に出力させる制御を行う（ステップＳ２０５）。尚、ステップＳ２０２の処理において、ページ幅が変更されなかったと判定した場合（ステップＳ２０２：ＮＯ）、画像ファイルに保存された画像の出力形式を維持した状態で、その画像を出力機構１２０に出力させる制御を行う（ステップＳ２０６）。
【００７５】
図１０は、出力結果の一例である。尚、図１０ではメタデータを含む画像ファイルの画像が記録紙Ｓに記録された場合を示している。
【００７６】
上述したように、ページ幅が変更されなかったと判定した場合、画像ファイルに保存された画像の出力形式を維持した状態で記録紙Ｓに画像が記録される。このため、図１０（ａ）に示すように、画像ファイルＦのデータ部に保存された画像（図７参照）がその配置を維持した状態で記録紙Ｓに記録される。尚、図１０（ａ）に示す記録紙Ｓの幅は幅「ＪＩＳ−Ａ０」である。
【００７７】
一方、ページ幅が変更されたと判定した場合、画像ファイルに保存された画像の出力形式を変更した状態で記録紙Ｓに画像が記録される。例えば、ページ幅が幅「ＪＩＳ−Ａ０」から幅「ＪＩＳ−Ａ２」に変更されたと判定した場合、図１０（ｂ）に示すように、画像ファイルＦのデータ部に保存された画像（図７参照）がその配置を変更した状態で記録紙Ｓｒに記録される。
【００７８】
具体的には、図１０（ｂ）に示すように、出力順序「１」の画像Ｎｏ「１」（画像「Ａ」）が先頭に格納される。同様に、出力順序「２」の画像Ｎｏ「４」（画像「Ｄ  Ｅ  Ｆ」）が画像Ｎｏ「１」の占有領域から予め定めた隙間分だけ離れてその次に格納される。出力順序「３」の画像Ｎｏ「２」（画像「Ｂ」）が画像Ｎｏ「４」の占有領域から予め定めた隙間分だけ離れてその次に格納される。出力順序「４」の画像Ｎｏ「３」（画像「Ｃ」）が画像Ｎｏ「２」の占有領域から予め定めた隙間分だけ離れてその次に格納される。尚、図１０（ｂ）に示す記録紙Ｓｒはロール紙であって、記録紙Ｓの幅は幅「ＪＩＳ−Ａ２」である。
【００７９】
このように、本実施形態に係る画像形成装置１００は、１つの画像ファイルの中に１つの画像しか格納できないファイルフォーマットを利用しつつも、複数の画像がその画像のサイズを変えずに格納された画像ファイルを生成する。また、生成された画像ファイルには出力順序や占有領域が保存されるため、これらの出力順序や占有領域を利用することで、複数の画像の出力形式を簡易に変えられる。尚、出力順序を設定しない場合、格納順序を出力順序として利用してもよい。出力順序を設定するための操作の手間が省かれつつ、画像を格納した順序で出力がなされる。
【００８０】
図１１は、出力結果の他の一例である。図１１（ａ）ではメタデータを含む画像ファイルの画像が記録紙Ｓに記録された場合を示している。図１１（ｂ）では二次元コードを含む画像ファイルの画像が記録紙Ｓに記録された場合を示している。いずれの図もページ幅が変更されなかったと判定した場合を示している。尚、図１１（ａ）の説明は、図１０（ａ）の説明と同様であるため省略する。
【００８１】
上述したように、ページ幅が変更されていなければ、図１１（ｂ）に示すように、画像ファイルＦのデータ部に保存された画像（図８参照）がその配置を維持した状態で記録紙Ｓに記録される。このため、図１１（ｂ）においては、複数の画像だけでなく二次元コードＣも格納された記録紙Ｓが出力される。
【００８２】
このように、利用者の選択により、出力順序や占有領域等の付加情報は、メタデータとしても二次元コードとしてもよい。メタデータを利用した場合には、記録Ｓや記録紙Ｓｒには複数の画像のみが記録されるため、二次元コードを利用した場合に比べて、利用者にとって認知不能な画像が視界に入ることを抑えられる。一方、二次元コードを利用した場合には、記録Ｓや記録紙Ｓｒには複数の画像とともに二次元コードも記録されるが、画像形成装置１００に二次元コードに埋め込まれた情報を読み取る機能が構成されていれば、その機能を利用して出力順序や占有領域等の付加情報が失われることなく再現される。
【００８３】
（第２実施形態）
続いて、本発明の第２実施形態について図１２及び図１３を参照して説明する。
【００８４】
図１２（ａ）は、コントローラ１１０の動作の他の一例を示すフローチャート、図１２（ｂ）は、出力形態を選択する選択画面の一例である。尚、図１２（ａ）に示すフローチャートは、図４のステップＳ１０１とＳ１０２の間に含まれるフローチャートである。第２実施形態では、出力処理の際に複数のページとして処理するか否かを画像ファイル生成の際に選択し得る点で上述した第１実施形態と相違する。
【００８５】
まず、図１２（ａ）に示すように、ステップＳ１０１の処理が終了すると、設定制御部１１１は、出力処理をする際の処理形態を選択させる選択画面を操作パネル１３２に表示させる（ステップＳ３０１）。選択画面は、図１２（ｂ）に示すように、出力処理の際に１ページとして処理するか、出力処理の際に複数ページとして処理するかを選択する選択ボタンＢｔ、選択した内容を確定するためのＯＫボタンＢｔ、選択した内容をキャンセルするためのキャンセルボタンＢｔを備えている。利用者は必要に応じて選択ボタンＢｔのいずれかを選択して、ＯＫボタンＢｔを押下すると、選択された内容に応じた指示が設定制御部１１１に送信される。
【００８６】
設定制御部１１１は、選択された内容に応じた指示を受信すると、指示に基づいて、出力処理の際に複数ページとして処理するか否かを判定する（ステップＳ３０２）。設定制御部１１１が複数ページとして処理する旨が選択されたと判定した場合には（ステップＳ３０２：ＹＥＳ）、画像保存部１１６は、複数ページとして処理する旨を画像ファイルＦに保存する（ステップＳ３０３）。一方、設定制御部１１１が１ページとして処理する旨が選択されたと判定した場合には（ステップＳ３０２：ＮＯ）、画像保存部１１６は、１ページとして処理する旨を画像ファイルＦに保存する（ステップＳ３０４）。
【００８７】
図１３は、出力処理形態が保存された画像ファイルＦの一例である。尚、当該画像ファイルＦは、データ部に二次元コードＣを有する画像ファイルであるが、ヘッダ部にメタデータを有する画像ファイルであってもよい。
【００８８】
出力処理形態は、例えばヘッダ部のヘッダデータに保存される。図１３では、出力処理形態として「複数ページ」が保存されたことを示している。例えば、画像保存部１１６が１ページとして処理する旨を画像ファイルＦに保存した場合には、出力処理形態に「１ページ」が保存される。
【００８９】
このように第２実施形態によれば、出力処理の際に複数のページとして処理するか否かを画像ファイル生成の際に選択し得る。したがって、利用者は出力の際に複数ページとして出力させる予定がある場合には、その旨を選択すればよい。逆に、出力の際に１ページとして出力させる予定がある場合には、その旨を選択すればよい。ヘッダデータを読み込んだ画像形成装置１００は、ヘッダデータの出力処理形態を解析することにより、出力の際に複数ページとして出力するか１ページとして出力するか判断し、判断結果に応じた出力処理を行う。
【００９０】
（第３実施形態）
続いて、本発明の第３実施形態について図１４及び図１５を参照して説明する。
【００９１】
図１４（ａ）は、コントローラ１１０の動作の他の一例を示すフローチャート、図１４（ｂ）は、出力形態を選択する選択画面の一例である。尚、図１４（ａ）に示すフローチャートは、図９のステップＳ２０１とＳ２０２の間に含まれるフローチャートである。第３実施形態では、出力処理の際に複数のページとして処理するか否かを出力処理の際に選択し得る点で上述した第１実施形態及び第２実施形態と相違する。
【００９２】
まず、図１４（ａ）に示すように、ステップＳ２０１の処理が終了すると、出力制御部１１７は、出力処理をする際の処理形態を選択させる選択画面を操作パネル１３２に表示させる（ステップＳ４０１）。選択画面は、図１４（ｂ）に示すように、出力処理の際に１ページとして処理するか、出力処理の際に複数ページとして処理するかを選択する選択ボタンＢｔ、選択した内容を確定するためのＯＫボタンＢｔ、選択した内容をキャンセルするためのキャンセルボタンＢｔを備えている。利用者は必要に応じて選択ボタンＢｔのいずれかを選択して、ＯＫボタンＢｔを押下すると、選択された内容に応じた指示が出力制御部１１７に送信される。
【００９３】
出力制御部１１７は、選択された内容に応じた指示を受信すると、指示に基づいて、出力処理の際に複数ページとして処理するか否かを判定する（ステップＳ４０２）。出力制御部１１７が複数ページとして処理する旨が選択されたと判定した場合には（ステップＳ４０２：ＹＥＳ）、出力制御部１１７は、複数ページとして処理する（ステップＳ４０３）。一方、出力制御部１１７が１ページとして処理する旨が選択されたと判定した場合には（ステップＳ４０２：ＮＯ）、出力制御部１１７は、１ページとして処理する（ステップＳ４０４）。
【００９４】
図１５は、出力結果の他の一例である。尚、当該出力結果は、画像ファイルＦにメタデータが保存されている場合の出力結果であるが、画像ファイルＦのデータ部に二次元コードＣが含まれる場合の出力結果であってもよい。
【００９５】
例えば上述した図１４（ａ）のステップＳ４０２の場合において、出力の際に１ページとして処理する旨が選択された場合には、出力結果は、図１５（ａ）に示すように、複数の画像「Ａ」〜「Ｄ  Ｅ  Ｆ」が記録された記録紙Ｓとなる。一方、出力の際に複数ページとして処理する旨が選択された場合には、出力結果は、出力順序に基づいて、図１５（ｂ）に示すように、複数の画像「Ａ」〜「Ｄ  Ｅ  Ｆ」がそれぞれ別のページに記録された記録紙Ｓとなる。
【００９６】
このように第３実施形態によれば、出力処理の際に複数のページとして処理するか否かを出力処理の際に選択し得る。したがって、利用者は出力の際に複数ページとして出力させる予定がある場合には、その旨を選択すればよい。逆に、出力の際に１ページとして出力させる予定がある場合には、その旨を選択すればよい。
【００９７】
尚、第３実施形態は、第１実施形態だけを単独で組み合わせてもよいし、第１実施形態及び第２実施形態の双方を組み合わせてもよい。この場合、例えば画像ファイルＦに出力処理形態「複数ページ」又は「１ページ」がヘッダデータに保存されていても第３実施形態が優先され、ヘッダデータに保存された出力処理形態は無視される。
【００９８】
また、ステップＳ４０１とＳ４０２の間に出力順序を再設定させる処理を含めてもよい。例えば、画像ファイルに保存された画像を複数の画像に分割し、それぞれの画像を順に操作パネル１３２に表示させ、図６（ａ）に示すような出力順序設定画面も表示させ、利用者に表示された画像の出力順序を何番目とするか設定させてもよい。この結果、出力処理の際にも画像の出力順序が変更される。
【００９９】
以上、本発明の好ましい実施形態について詳述したが、本発明に係る特定の実施形態に限定されるものではなく、特許請求の範囲に記載された本発明の要旨の範囲内において、種々の変形・変更が可能である。
【０１００】
例えば、上述した第１から第３までの実施形態では、画像形成装置１００の操作パネル１３２を操作することを一例として説明したが、例えば情報処理装置２００の表示装置２１０に各種の設定画面、格納画面、選択画面等を表示させ、入力装置２２０からの指示に基づいて、コントローラ１１０が動作するようにしてもよい。上述した実施形態では、利用者自身の指を利用したタッチ操作としたが、マウスポインタによって表示装置２１０に表示された内容を指示するようにしてもよい。このような場合、本発明に係るプログラムを制御装置２３０のＲＯＭやＨＤＤに保存すればよい。
【符号の説明】
【０１０１】
１００  画像形成装置
１１０  コントローラ
１１１  設定制御部
１１２  画像受付部
１１３  格納制御部
１１４  占有領域生成部
１１５  画像結合部
１１６  画像保存部
１１７  出力制御部
１２０  出力機構
１３０  操作部
１３１  操作ボタン
１３２  操作パネル
【図１】
2014011788.tif 000003
【図２】
2014011788.tif 000004
【図３】
2014011788.tif 000005
【図４】
2014011788.tif 000006
【図５】
2014011788.tif 000007
【図６】
2014011788.tif 000008
【図７】
2014011788.tif 000009
【図８】
2014011788.tif 000010
【図９】
2014011788.tif 000011
【図１０】
2014011788.tif 000012
【図１１】
2014011788.tif 000013
【図１２】
2014011788.tif 000014
【図１３】
2014011788.tif 000015
【図１４】
2014011788.tif 000016
【図１５】
2014011788.tif 000017